(57)【要約】【課題】使用者の誤操作で、意図しない特殊運転モードに入ることを防止すること。【解決手段】表示操作制御手段１３は、入力設定手段１１にて、予め定めた特定の特殊運転モードが入力設定された時に、記憶手段１８に同一の特殊運転モードが実行された履歴が記憶されていた場合は、その特殊運転モードの実行を禁止する構成とすることにより、使用者の誤操作で意図しない特殊運転モードに入ることを防止することにより、製品の故障と誤認されることを防止することができる。【選択図】図１
2018134264.tif 000002
【特許請求の範囲】
【請求項１】
運転行程内容などを入力設定する入力設定手段と、前記入力設定手段により設定された行程内容および行程の進行状況などを表示する表示手段と、各種情報を記憶する記憶手段と、前記入力設定手段および前記表示手段を制御する表示操作制御手段と、前記表示操作制御手段からの指示により、負荷を制御する負荷制御手段とを備え、前記負荷制御手段は、前記表示操作制御手段から、前記入力設定手段にて、予め定めた特定の特殊運転モードが入力設定された時に、前記記憶手段に同一の特殊運転モードが実行された履歴が記憶されていた場合は、特殊運転モードの実行を禁止する洗濯機。
【請求項２】
負荷制御手段は、表示操作制御手段にて、予め定めた特定の特殊運転モードが入力設定された時には、記憶手段に記憶された通常運転モードでの運転回数が所定値に達している場合には、特殊運転モードの実行を禁止する請求項１に記載の洗濯機。
【請求項３】
負荷制御手段は、表示操作制御手段にて、製品設置時に行なわれる予め定めた給排水確認や、洗い、脱水の動作確認などの試運転モードが入力設定された時には、記憶手段に試運転モードを実行した履歴が無い場合には、試運転モードを実行してその履歴を前記記憶手段に記憶するとともに、前記記憶手段に試運転モードを実行した履歴があった場合には、試運転モードの実行を禁止する請求項１に記載の洗濯機。
【発明の詳細な説明】
【技術分野】
【０００１】
本発明は、洗い、すすぎ、脱水の一連の行程を行い、洗濯動作を行なう洗濯機に関するものである。
【背景技術】
【０００２】
従来、この種の洗濯機は、使用者が洗濯物を洗濯兼脱水槽に投入して洗濯を行う洗濯モード（以降、通常運転モードと記す）の他に、店頭でのデモンストレーション用に長時間の繰り返し運転動作を繰り返す展示モードや、洗濯機の給水条件・排水条件・設置状態が適切かどうかを診断するために、短時間の試運転を行なって、チェックする試運転モードや、あるいは、製品の製造工程で各種診断を行う検査モードといった特殊な運転モード（以降、特殊運転モードと記す）を行なうことができる構成が提案されてきた（例えば、特許文献１参照）。
【０００３】
図７は、特許文献１に記載された従来の洗濯機の操作表示部の正面図を示すものである。
【０００４】
図７において、使用者が洗濯機の運転を開始する場合、洗濯兼脱水槽（図示せず）に洗濯物を投入し、電源入りスイッチ５０をオンにして、入力スイッチ５１で好みのプログラムを選択して設定し、スタート／一時停止スイッチ５１ｂを押す。これにより、洗濯動作が開始され、洗い、すすぎ、脱水の動作が順次実行される。
【０００５】
特殊運転モードへは、使用者が通常操作することのない操作を行なうことにより移行される。例えば、電源入りスイッチ５０がオンにされた直後に、例えば、洗い時間設定スイッチ５１ｄと脱水時間設定スイッチ５１ｆが同時に押された場合、特殊運転モードで運転することができる。
【０００６】
この場合は、洗いモードと脱水モードの２種類の特殊運転モードができ、洗いモードであれば、槽内に水が入っていなくても、モータ（図示せず）を駆動させて、パルセータ（図示せず）を正逆回転させることができ、脱水モードであれば、蓋（図示せず）が開いていても、排水弁（図示せず）とモータを駆動させて、洗濯兼脱水槽を回転させる脱水動作を行なうことができる。
【先行技術文献】
【特許文献】
【０００７】
【特許文献１】特開２００３−２３０７８９号公報
【発明の概要】
【発明が解決しようとする課題】
【０００８】
しかしながら、前記従来の構成では、使用者が誤操作によって、意図せずに特殊運転モードに入り、製品の故障と誤認される虞があるという課題があった。
【０００９】
本発明は、上記従来の課題を解決するもので、使用者の誤操作で特殊運転モードに入ることを防ぐことにより、製品の故障と誤認されることを防止する洗濯機を提供することを目的とする。
【課題を解決するための手段】
【００１０】
前記従来の課題を解決するために、本発明の洗濯機は、運転行程内容などを入力設定す
る入力設定手段と、前記入力設定手段により設定された行程内容および行程の進行状況などを表示する表示手段と、各種情報を記憶する記憶手段と、前記入力設定手段および前記表示手段を制御する表示操作制御手段と、前記表示操作制御手段からの指示により、負荷を制御する負荷制御手段とを備え、前記負荷制御手段は、前記表示操作制御手段から、前記入力設定手段にて、予め定めた特定の特殊運転モードが入力設定された時に、前記記憶手段に同一の特殊運転モードが実行された履歴が記憶されていた場合は、特殊運転モードの実行を禁止する構成とするものである。
【００１１】
これによって、使用者の誤操作で意図しない特殊運転モードに入ることを防ぐことにより、製品の故障と誤認されることを防止することができる。
【発明の効果】
【００１２】
本発明の洗濯機は、使用者の誤操作で意図せずに特殊運転モード入ることを防ぐことにより、製品の故障と誤認されることを防止することができる。
【図面の簡単な説明】
【００１３】
【図１】本発明の実施の形態１における洗濯機の縦断面図
【図２】同洗濯機のブロック回路図
【図３】同洗濯機の操作表示部の正面図
【図４】同洗濯機の制御フローチャート
【図５】本発明の実施の形態２における洗濯機の制御フローチャート
【図６】本発明の実施の形態３における洗濯機の制御フローチャート
【図７】従来の洗濯機の操作表示部の正面図
【発明を実施するための形態】
【００１４】
第１の発明は、運転行程内容などを入力設定する入力設定手段と、前記入力設定手段により設定された行程内容および行程の進行状況などを表示する表示手段と、各種情報を記憶する記憶手段と、前記入力設定手段および前記表示手段を制御する表示操作制御手段と、前記表示操作制御手段からの指示により、負荷を制御する負荷制御手段とを備え、前記負荷制御手段は、前記表示操作制御手段から、前記入力設定手段にて、予め定めた特定の特殊運転モードが入力設定された時に、前記記憶手段に同一の特殊運転モードが実行された履歴が記憶されていた場合は、特殊運転モードの実行を禁止する構成とするものである。
【００１５】
これにより、使用者の誤操作で意図しない特殊運転モードに入ることを防ぐことにより、製品の故障と誤認されることを防止することができる。
【００１６】
第２の発明は、特に第１の発明の負荷制御手段は、表示操作制御手段にて、予め定めた特定の特殊運転モードが入力設定された時には、記憶手段に記憶された通常運転モードでの運転回数が所定値に達している場合には、特殊運転モードの実行を禁止する構成とすることにより、使用者の誤操作で意図しない特殊運転モードに入ることを防ぐことにより、製品の故障と誤認されることを防止することができる。
【００１７】
第３の発明は、特に、第１の発明の負荷制御手段は、表示操作制御手段にて、製品設置時に行なわれる予め定めた給排水確認や、洗い、脱水の動作確認などの試運転モードが入力設定された時には、記憶手段に試運転モードを実行した履歴が無い場合には、試運転モードを実行してその履歴を前記記憶手段に記憶するとともに、前記記憶手段に試運転モードを実行した履歴があった場合には、試運転モードの実行を禁止する構成とすることにより、使用者の誤操作で意図しない特殊運転モードの試運転モードに入ることを防ぐことにより、製品の故障と誤認されることを防止することができる。
【００１８】
以下、本発明の実施の形態について、図面を参照しながら説明する。なお、この実施の形態によって本発明が限定されるものではない。
【００１９】
（実施の形態１）
図１は、本発明の第１の実施の形態における洗濯機の縦断面図、図２は、同洗濯機のブロック回路図、図３は、同洗濯機の操作表示部の正面図である。
【００２０】
図１、図２において、洗濯兼脱水槽１は、内底面に攪拌翼２を回転自在に配設し、水受け槽３は、洗濯兼脱水槽１を回転自在に内包し，モータ１６は、ベルト５および減速機構兼クラッチ６を介して、洗濯兼脱水槽１または攪拌翼２を回転駆動する。
【００２１】
水受け槽３の底部に配した排水装置１５は、排水弁８と連動して洗濯兼脱水槽１内の洗濯水を排水し、外枠９上方の上部枠体１０の後内部に設けられた給水弁１４は、洗濯兼脱水槽１内に給水するものである。また、排水装置１５は、上部枠体１０の前内部に設けられた制御装置２１の有する負荷制御手段１７で制御されているが、減速機構兼クラッチ６および排水弁８と同時に、または、それぞれ個別に連動できるようになっている。
【００２２】
また、水受け槽３は、外枠９にサスペンション２２によって垂下防振支持されている。流体バランサ２３は洗濯兼脱水槽１の上部に設けられ、脱水時の振動を低減するものである。
【００２３】
運転コース等のモードや各種機能の選択は、上部枠体１０の前部に設けられた操作表示部２４から使用者が入力設定手段１１へ入力して行い、操作表示部２４の内方側に配設された制御装置２１の有する表示操作制御手段１３が、その入力情報を基に表示手段１２で表示して使用者に知らせる。
【００２４】
また、負荷制御手段１７は、モータ１６、排水装置１５、給水弁１４などを制御して、洗い、すすぎ、脱水の一連の行程を逐次制御する。
【００２５】
各種情報を記憶する記憶手段１８は、電源供給が遮断されても記録された情報が消えない不揮発性メモリなどにより構成され、表示操作制御手段１３や負荷制御手段１７から設定や運転履歴を記録したり参照されたりする。
【００２６】
図３において、操作表示部４の入力設定手段１１は、行程設定スイッチ１１ａ、水量設定スイッチ１１ｂ、コース設定スイッチ１１ｃ、スタート／一時停止スイッチ１１ｄ、電源入スイッチ１１ｅ、電源切スイッチ１１ｆ等で構成されている。
【００２７】
そして、表示手段１２は、設定した行程の表示と進行度合いを行程ＬＥＤ１２ａで、水量や残り時間（時間または分単位）などを７セグメントＬＥＤ１２ｂで、設定されたコースをコースＬＥＤ１２ｃで表示する。
【００２８】
また、入力設定手段１１の複数のスイッチを同時に押すことにより、特殊運転モードを実行することができる。例えば、行程設定スイッチ１１ａとコース設定スイッチ１１ｃを同時に押すと、設置状況確認の特殊運転モードに入ってブザー吹鳴確認を行い、コース設定スイッチ１１ｃで切り換えることにより、水無しでの洗濯動作、蓋を開けたままでの脱水動作などの確認を行なうことができる。
【００２９】
なお、入力設定手段１１は、本実施の形態ではタクトスイッチであるが、静電容量の変化によって入力を検知するタッチスイッチ、近距離無線通信やＷｉＦｉ、赤外線など外部
機器からデータ通信を行って操作を受け付けたり、マイクによる音声入力などであっても良い。
【００３０】
また、表示手段１２は、本実施の形態ではＬＥＤであるが、ＬＣＤを用いた表示やスピーカーによる音声出力などであっても良い。
【００３１】
以上のように構成された洗濯機について、以下、その動作、作用を説明する。
【００３２】
図４は、本発明の第１の実施の形態における洗濯機の制御フローチャートである。
【００３３】
図４において、表示操作制御手段１３は、電源投入時（ステップＳ２１）に入力設定手段１１から予め定められた特定の特殊運転モードとなる特殊な操作がないかを判断し（ステップＳ２２）、特殊な操作が無い場合（ステップＳ２２のＮｏ）は、通常運転モードで動作する（ステップＳ２４）。
【００３４】
予め定められた特殊運転モードとなる特殊な操作を受け付ける（ステップＳ２２のＹｅｓ）と、記憶手段１８にその特殊運転モードの実行履歴がなければ（ステップＳ２３のＹｅｓ）、通常の洗濯運転ではない特殊運転モードに移り、負荷制御手段１７は、予め定められた内容でそのモードの運転を行う（ステップＳ２５）。
【００３５】
特殊運転モードに移る操作については、例えば、通常の操作では行なわれない複数のスイッチを電源投入時に押す、あるいは、予め定められた一定の操作手順を経るなどにより特殊運転モードに遷移できるようにする。
【００３６】
そして、特殊運転モードでの運転が正常に終了した場合（ステップＳ２６のＹｅｓ）、負荷制御手段１７は、その特殊運転モードが実行完了したことを記憶手段１８に記録（ステップＳ２７）した後、電源を遮断する（ステップＳ２８）。
【００３７】
ステップＳ２３で、記憶手段１８に特殊運転モードの実行履歴があった場合（ステップｓ２３のＮｏ）には、表示操作制御手段１３は、入力設定手段１１から特殊運転モードに移るための操作入力がされた場合でも、誤操作であると判定して、特殊運転モードに移ることを拒否し、負荷制御手段１７に指示して通常運転モードで運転する（ステップＳ２４）。この場合の、通常運転モードは、前回運転したモードでも良いし、標準的なモードとして具備されているモードでも良い。
【００３８】
以上のように、本実施の形態１においては、表示操作制御手段１３は、入力設定手段１１にて予め定めた特定の特殊運転モードが入力設定された時には、記憶手段１８に同一の特殊運転モードが実行された履歴が記憶されていた場合には、特殊運転モードの実行を禁止する構成とすることにより、使用者の誤操作で意図しない特殊運転モードに入ることを防ぐことにより、製品の故障と誤認されることを防止することができる。
【００３９】
（実施の形態２）
図５は、本発明の第２の実施の形態における洗濯機の制御フローチャートである。なお、図５の制御フローチャート以外の構成については、実施の形態１と同じであり、説明を省略する。
【００４０】
図５において、表示操作制御手段１３は、電源投入時（ステップＳ３１）に入力設定手段１１から特殊運転モードとなる特殊な操作がないかを判断し（ステップＳ３２）、特殊な操作がない場合（ステップＳ３２のＮｏ）は、通常運転モードで動作する（ステップＳ３４）。
【００４１】
特殊運転モードでの運転が指定された時（ステップＳ３２のＹｅｓ）には、記憶手段１８に記憶された通常運転回数が、所定の値、たとえば出荷時の運転回数より増加していれば（ステップＳ３３のＹｅｓ）、表示操作制御手段１３は、使用者の元で製品の使用が開始されており、特殊運転モードの操作は誤操作であると判断して、特殊運転モードに移るための操作がなされても特殊運転モードへ移ることを拒否して、負荷制御手段１７に通常運転モードで運転させる（ステップＳ３４）。
【００４２】
特殊運転モードに移る操作については、例えば、通常の操作では行なわれない複数のスイッチを電源投入時に押す、あるいは、予め定められた一定の操作手順を経るなどにより特殊運転モードに遷移できるようにする。
【００４３】
そして、ステップＳ３３で、通常運転回数が所定の値、例えば、出荷時の運転回数まで達していなければ（ステップＳ３３のＮｏ）、特殊運転モードに移り、負荷制御手段１７は、予め定められた内容でそのモードの運転を行う（ステップＳ３５）。
【００４４】
負荷制御手段１７は、ステップＳ３３で通常運転モードで運転した後、運転が終了すると（ステップＳ３６のＹｅｓ）、記憶手段１８に運転回数を記録（ステップＳ３７）した後、電源を遮断する（ステップＳ３８）。
【００４５】
なお、ステップＳ３３で判断をする通常運転回数の所定値は、出荷時の運転回数ではなく、予め定めた一定運転回数として、所定値を超えた時に特殊運転モードへ移らないようにしてもよい。
【００４６】
以上のように、本実施の形態２においては、負荷制御手段１７は、入力設定手段１１にて予め定めた特定の特殊運転モードが入力設定された時に、記憶手段１８に記憶された通常運転モードでの運転回数が所定値に達している場合は、その特殊運転モードの実行を禁止する構成とすることにより、使用者の誤操作で意図しない特殊運転モードに入ることを防ぐことにより、製品の故障と誤認されることを防止することができる。
【００４７】
（実施の形態３）
図６は、本発明の第３の実施の形態における洗濯機の制御フローチャートである。なお、図６の制御フローチャート以外の構成については、実施の形態１と同じであり、説明を省略する。
【００４８】
図６において、表示操作制御手段１３は、電源投入時（ステップＳ４１）に入力設定手段１１から特殊運転モードとなる特殊な操作がないかを判断し（ステップＳ４２）、特殊な操作がない場合（ステップＳ４２のＮｏ）には、通常運転モードで動作する（ステップＳ４４）。
【００４９】
特殊運転モードでの運転が指定された時（ステップＳ４２のＹｅｓ）には、販売業者が使用者の元に製品を配送して設置した時に行う給排水確認や、洗い、脱水の動作確認などの試運転モードの実行完了の履歴がある場合（ステップＳ４３のＹｅｓ）には、表示操作制御手段１３は、製品の設置が完了して、使用者による製品使用が開始されており、特殊運転モードの操作は誤操作であると判断して、特殊運転モードへ移ることを拒否して、負荷制御手段１７に通常運転モードで運転を行わせる（ステップＳ４４）。
【００５０】
特殊運転モードに移る操作については、例えば、通常の操作では行なわれない複数のスイッチを電源投入時に押す、あるいは、予め定められた一定の操作手順を経るなどにより特殊運転モードに遷移できるようにする。
【００５１】
そして、ステップＳ４３で、試運転モードの実行完了の履歴がない場合（ステップＳ４３のＮｏ）には、指定された特殊運転モードで運転（ステップＳ４５）し、実行された特殊運転モードが試運転モードであり（ステップＳ４６のＹｅｓ）、試運転が正常に完了した場合（ステップＳ４７のＹｅｓ）に、試運転実行済みを記憶手段１８に記録（ステップＳ４８）した後、電源を遮断する（ステップＳ４９）。
【００５２】
なお、ステップＳ４７で、試運転モードを中止したり、正常終了しない場合（ステップＳ４７のＮｏ）には、設置し直して再度試運転をする場合があるので、実行完了した履歴は残さず、電源を遮断する（ステップＳ４９）。
【００５３】
なお、制限する特殊運転モードは全ての特殊運転モードには限定しない。たとえば、使用者の洗濯運転には使用しない場合でも、修理時の対応用に製品診断や動作履歴の確認を行う診断モードの実行は禁止しなくても良い。
【００５４】
以上のように、本実施の形態３においては、負荷制御手段１７は、入力設定手段にて、製品設置時に行なわれる予め定めた給排水確認や、洗い、脱水の動作確認などの試運転モードが入力設定された時に、記憶手段１８に試運転モードを実行した履歴が無い場合は、試運転モードを実行してその履歴を記憶手段１８に記憶するとともに、記憶手段１８に試運転モードを実行した履歴があった場合は、その試運転モードの実行を禁止する構成とすることにより、使用者の誤操作で意図しない特殊運転モードの試運転モードに入ることを防ぐことにより、製品の故障と誤認されることを防止することができる。
【産業上の利用可能性】
【００５５】
以上のように、本発明にかかる洗濯機は、使用者の誤操作で意図しない特殊運転モードに入ることを防ぐことにより、故障と誤認されることを防止することができるので、特殊運転モードを具備するドラム式など他の洗濯機の用途に適用できる。
【符号の説明】
【００５６】
１  洗濯兼脱水槽
２  攪拌翼
３  水受け槽
１１  入力設定手段
１２  表示手段
１３  表示操作制御手段
１６  モータ
１７  負荷制御手段
１８  記憶手段
２１  制御装置
【図１】
2018134264.tif 000003
【図２】
2018134264.tif 000004
【図３】
2018134264.tif 000005
【図４】
2018134264.tif 000006
【図５】
2018134264.tif 000007
【図６】
2018134264.tif 000008
【図７】
2018134264.tif 000009